(57)【要約】【課題】外袋からの排出部の引出しをスムーズに行うことができかつ排出部における内容物の目詰まり等も生じないフレキシブルコンテナの内袋を提供する。【解決手段】フレキシブルコンテナの外袋３内に収容される内袋１であって、使用時に内袋１の本体部１１から縮径した筒状に成形される排出部１２が、その筒軸と直交する方向へ略Ｚ字をなすように蛇腹折りされるとともに筒軸方向へも略Ｚ字をなすようにて畳まれており、畳まれた排出部１２の下縁１２３が内容物の排出方向へ向いている。【選択図】        図５
0003212140.tif 000002
【実用新案登録請求の範囲】
【請求項１】
フレキシブルコンテナの外袋内に収容される内袋であって、使用時に内袋の本体部から縮径した筒状に成形される排出部が、その筒軸方向へ少なくとも一回略Ｚ字をなすように蛇腹折りされて畳まれており、畳まれた前記排出部の外端が内容物の排出方向へ向いているフレキシブルコンテナの内袋。
【請求項２】
前記排出部の外端が排出方向へ所定量突出している請求項１に記載のフレキシブルコンテナの内袋。
【請求項３】
前記排出部が前記筒軸方向への蛇腹折りに先だって、筒軸に直交する方向へ少なくとも一回略Ｚ字をなすように蛇腹折りされて畳まれている請求項１又は２に記載のフレキシブルコンテナの内袋。
【請求項４】
前記内袋にはこれを介して前記排出部とは反対位置に本体部から縮径した筒状に成形される充填部が設けられており、前記充填部が、その筒軸方向へ少なくとも一回略Ｚ字をなすように蛇腹折りされて畳まれ、畳まれた充填部の外端が内容物の充填方向へ向いている請求項１ないし３のいずれかに記載のフレキシブルコンテナの内袋。
【請求項５】
前記充填部の外端が充填方向へ所定量突出している請求項４に記載のフレキシブルコンテナの内袋。
【請求項６】
前記充填部が前記筒軸方向への蛇腹折りに先だって、筒軸に直交する方向へ少なくとも一回略Ｚ字をなすように蛇腹折りされて畳まれている請求項４又は５に記載のフレキシブルコンテナの内袋。
【請求項７】
前記本体部がその深さ方向へ少なくとも一回略Ｚ字をなすように蛇腹折りされて畳まれており、畳まれた本体部の外端が内容物の充填方向へ向いている請求項１ないし３のいずれか一つに記載のフレキシブルコンテナの内袋。
【請求項８】
前記本体部が前記深さ方向への蛇腹折りに先だって、その幅方向へ少なくとも一回略Ｚ字をなすように蛇腹折りされて畳まれている請求項７に記載のフレキシブルコンテナの内袋。
【考案の詳細な説明】
【技術分野】
【０００１】
本考案はフレキシブルコンテナの内袋に関し、特に排出部を設けた内袋の構造改良に関するものである。
【背景技術】
【０００２】
特許文献１には排出部を設けたフレキシブルコンテナ（以下、フレコン）用内袋の一例が示されている。この種の内袋の排出部は、内袋本体の下端部から縮径して下方へ筒状に延びるものとなっている。フレコンを搬送する場合には外袋内に内袋を挿置し、この際、排出部は適当に外袋の底面開口内に押し込んでいる。通常、排出部の筒開口は平シールや玉シールあるいは折返しシール等によって閉止している。
【先行技術文献】
【特許文献】
【０００３】
【特許文献１】特開２００７−２２３６６１
【考案の概要】
【考案が解決しようとする課題】
【０００４】
ところで、内容物を排出する場合には、外袋の底面開口から内袋の筒状排出部を下方へ引き出して行うが、従来は排出部を外袋の底面開口内にそのまま押し込んでいるだけであるため、排出部を底面開口外へ引き出すのに難渋する上に、よじれて引き出された排出部内で内容物が目詰まりを生じる等の不具合があった。
【０００５】
そこで、本考案はこのような課題を解決するもので、外袋からの排出部の引出しをスムーズに行うことができかつ排出部における内容物の目詰まり等も生じないフレコンの内袋を提供することを目的とする。
【課題を解決するための手段】
【０００６】
上記目的を達成するために、本第１考案では、フレキシブルコンテナの外袋（３）内に収容される内袋（１）であって、使用時に内袋（１）の本体部（１１）から縮径した筒状に成形される排出部（１２）が、その筒軸方向へ少なくとも一回略Ｚ字をなすように蛇腹折りされて畳まれており、畳まれた前記排出部（１２）の外端（１２３）が内容物の排出方向へ向いている。
【０００７】
本第１考案によれば、内袋の本体部内の内容物を排出する場合には、排出方向へ向いている排出部の外端を掴んで引くことによって、排出部にねじれ等を生じることなく容易かつスムーズにこれを外袋外へ引き出して筒状に復元し、上記内容物を目詰まり等を生じることなく速やかに排出することができる。
【０００８】
本第２考案では、前記排出部（１２）の外端（１２３）が排出方向へ所定量突出している。本第２考案によれば、外端を容易に掴むことができる。
【０００９】
本第３考案では、前記排出部（１２）が前記筒軸方向への蛇腹折りに先だって、筒軸に直交する方向へ少なくとも一回略Ｚ字をなすように蛇腹折りされて畳まれている。本第３考案によれば、排出部をよりコンパクトに折り畳むことができるとともに、折り畳み状態からの展開もねじれ等を生じることなく容易に行うことができる。
【００１０】
本第４考案では、前記内袋にはこれを介して前記排出部とは反対位置に本体部から縮径した筒状に成形される充填部が設けられており、前記充填部が、その筒軸方向へ少なくとも一回略Ｚ字をなすように蛇腹折りされて畳まれ、畳まれた充填部の外端が内容物の充填方向へ向いている。
【００１１】
本第４考案によれば、内袋の本体部内へ内容物を充填する場合には、充填方向へ向いている充填部の外端を掴んで引くことによって、充填部にねじれ等を生じることなく容易かつスムーズにこれを外袋外へ引き出して筒状に復元し、上記内容物を目詰まり等を生じることなく速やかに充填することができる。
【００１２】
本第５考案では、前記充填部の外端が充填方向へ所定量突出している。本第２考案によれば、外端を容易に掴むことができる。
【００１３】
本第６考案では、前記充填部が前記筒軸方向への蛇腹折りに先だって、筒軸に直交する方向へ少なくとも一回略Ｚ字をなすように蛇腹折りされて畳まれている。本第６考案によれば、充填部をよりコンパクトに折り畳むことができるとともに、折り畳み状態からの展開もねじれ等を生じることなく容易に行うことができる。
【００１４】
本第７考案では、前記本体部（１１）がその深さ方向へ少なくとも一回略Ｚ字をなすように蛇腹折りされて畳まれており、畳まれた本体部（１１）の外端（１１１）が内容物の充填方向へ向いている。本第７考案によれば、本体部をコンパクトに折り畳むことができるとともに、折り畳み状態からの本体部の展開もねじれ等を生じることなく容易に行うことができる。
【００１５】
本第８考案では、前記本体部（１１）が前記深さ方向への蛇腹折りに先だって、その幅方向へ少なくとも一回略Ｚ字をなすように蛇腹折りされて畳まれている。本第８考案によれば、本体部をよりコンパクトに折り畳むことができるとともに、折り畳み状態からの本体部の展開もねじれ等を生じることなく容易に行うことができる。
【００１６】
なお、上記カッコ内の符号は、後述する実施形態に記載の具体的手段との対応関係を参考的に示すものである。
【考案の効果】
【００１７】
本考案のフレコンの内袋によれば、外袋からの排出部の引出しをスムーズに行うことができるとともに、排出部における内容物の目詰まり等も生じない。
【図面の簡単な説明】
【００１８】
【図１】ガセット袋からなる内袋の全体斜視図である。
【図２】蛇腹折りする折り線を示した内袋の全体斜視図である。
【図３】本体部と排出部を蛇腹折りした内袋の全体斜視図である。
【図４】排出部をさらに蛇腹折りした内袋の全体斜視図である。
【図５】外袋内に収容された内袋の全体斜視図である。
【考案を実施するための形態】
【００１９】
なお、以下に説明する実施形態はあくまで一例であり、本考案の要旨を逸脱しない範囲で当業者が行う種々の設計的改良も本考案の範囲に含まれる。
【００２０】
（第１実施形態）
図１以下の各図に、本考案の内袋をフレコンの外袋内に収容する過程を示す。図１には、両側縁を内方へ折り込んで畳まれた、ポリエチレンやポリプロピレン等の公知の樹脂フィルム製ガセット袋からなる内袋１を示す。内袋１は下半の両側を内方へ切り込んで公知の方法でシールすることによって、上半の本体部１１に続く細長の排出部１２が形成されている。
【００２１】
このような内袋１は、折り込んだ部分を外方へ戻すことによって、大径の上半本体部１１とこれから縮径して下方に延びる排出部１２とを有する角筒状に拡大成形することができる。排出部１２の背面には、結束手段たる結束用テープ２の中間位置が溶着（図中の斜線部）によって固定されている。なお、図１以下の各図は理解を容易にするために本体部１１の上下方向長さと排出部１２の長さの比を実際とは異ならせて描いてある。
【００２２】
図１のように畳まれた内袋１の本体部１１と排出部１２はさらに図２に示す鎖線ａ1，ａ2，Ａ，Ｂに沿って略Ｚ字に蛇腹折りされて畳まれる。すなわち、図２において、鎖線ａ1，Ａは紙面前方への折り線を示し、鎖線ｂ1，Ｂは紙面後方への折り線を示す。このような折り線ａ1，ａ2，Ａ，Ｂに沿って、本体部１１は図１の上下方向（すなわち深さ方向）へ折り畳まれ、排出部１２は図１の左右方向（すなわち筒軸に直交する方向）へ折り畳まれる。なお、排出部１２における折り線ａ1とｂ1の間隔ｄ1は、各折り線ａ1，ｂ1と排出部１２の各側縁１２１，１２２との間の間隔ｄ2，ｄ3とほぼ等しくしてある。また、本体部１１における折り線ＡとＢの間隔ｄ4は折り線Ｂと本体上縁１１１の間隔ｄ5よりもやや小さくしてある。
【００２３】
各折り線ａ1，ｂ1，Ａ，Ｂに沿って本体部１１と排出部１２を蛇腹折りした内袋１を図３に示す。排出部１２では折り曲げられた各部はほぼ幅が一致して重なっている。一方、本体部１１においては折り曲げられた各部のうち、最外部１１２の上縁（外端）１１１が他の部分よりも上方へ突出している。
【００２４】
左右方向へ略Ｚ字に蛇腹折りされた排出部１２はさらに図３の折り線ａ2，ｂ2に沿って略Ｚ字に蛇腹折りされて畳まれる。すなわち、図３において、鎖線ａ2は紙面前方への折り線を示し、鎖線ｂ2は紙面後方への折り線を示す。このような折り線ａ2，ｂ2に沿って排出部１２は図３の上下方向（すなわち筒軸方向）へ折り畳まれる。なお、排出部１２における折り線ａ2，ｂ2の間隔ｄ6は、折り線ｂ2と排出部下縁１２３の間隔ｄ7よりもやや小さくしてある。
【００２５】
排出部１２を筒軸方向へ蛇腹折りした内袋１を図４に示す。排出部１２の折り曲げられた各部のうち、最外部１２４の下縁（外端）１２３は他の部分よりも下方へ突出している。蛇腹折りされた排出部１２は図５に示すように結束用テープ２で結束保持され、この状態で図示するように公知の外袋３内に収容される。図５に示す外袋３は上方へ開放する矩形の箱体で、底面中央に円形の開閉可能な排出口３１が設けられている。なお外袋３は円形の箱体であってももちろん良い。内袋１を外袋３内へ収容した状態で、結束用テープ２の結束部２１から長く延びる両端部２２，２３を、外袋３の内面に設けられた図略の連結部に結ぶようにしても良く、これにより内袋１を外袋３内に安定的に保持することができる。
【００２６】
フレコンを使用する場合には、外袋３をこれに設けた吊りベルト（図示略）で位置決めし、続いて内袋１の本体部１１の上縁１１１を掴んで上方へ引き出すとともに、ガセットの折り込んだ部分を外方へ戻すことによって本体部１１を外袋３の内面に沿った、上方へ開放する角筒状に拡大成形して、内容物を内袋１内に投入する。その後、公知の方法で外袋３および内袋２の上方開口を閉じて搬送する。そして、搬送後に外袋３の排出口３１を開放するとともに、結束用テープ２の結束を解くかこれを切断する等して、内袋１の排出部１２の下縁１２３を、排出口３１を経て下方へ引き出す。
【００２７】
引き出された排出部１２は前述のようにその筒軸に直交する方向へ蛇腹折りで畳まれているから（図３参照）、これを再び展開し（図２の状態）、さらにガセットの折り込んだ部分を外方へ戻すことによって外袋３の排出口３１一杯に拡がった筒状に拡大成形される。これにより、本体部１１内の内容物が排出部１２を経て下方へスムーズに排出される。
【００２８】
(他の実施形態)
上記第１実施形態ではガセット袋に本考案を適用した場合について説明したが、折り込みの無い、いわゆる平袋にも適用することができる。
上記第１実施形態では、折り畳んだ状態をよりコンパクトなものにするために、排出部を筒軸方向と直交する方向へ蛇腹折りした後に筒軸方向へ蛇腹折りしたが、筒軸方向へ蛇腹折りするだけでも本考案の効果は得ることができる。
また、上記第１実施形態では、本体部は上下の深さ方向へ蛇腹折りしただけであるが、左右方向へ蛇腹折りした後に深さ方向へ蛇腹折りするようにしても良い。あるいは本体部については特に蛇腹折りしなくても良い。
上記第１実施形態における結束用テープに代えて、結束ひも等を使用しても良く、あるいはこれらに代えて部分的溶着等によって排出部の折り畳み状態を保持するようにしても良い。
上記第１実施形態にいてはＺ字をなすように一回蛇腹折りをしているが、複数回蛇腹折りしても良い。
本考案は、本体部の上部に縮径した筒状充填部を形成した、いわゆるボトル型の内袋において、上記充填部にも適用することができる。
【符号の説明】
【００２９】
１…内袋、１１…本体部、１１１…上縁（外端）、１２…排出部、１２３…下縁（外端）、２…結束用テープ（結束手段）、３…外袋。
【図１】
0003212140.tif 000003
【図２】
0003212140.tif 000004
【図３】
0003212140.tif 000005
【図４】
0003212140.tif 000006
【図５】
0003212140.tif 000007